(57)【特許請求の範囲】
【請求項１】
前面側に開放した開口を有する本体と、
前記開口を開閉する扉と、
前記本体に対して前記扉を回動可能に支持する連結ユニットと、
を備えた遊技機であって、
前記連結ユニットは、
本体側上部連結部を有するとともに前記本体に固定された本体側連結ユニットと、
前記本体側上部連結部に連結される扉側上部連結部を有するとともに前記扉に固定された扉側連結ユニットと、
を含み、
前記扉によって前記開口を閉じた状態において、前記本体側上部連結部と前記本体の天板との間に配置される第１閉塞部材および第２閉塞部材をさらに備え、
前記第１閉塞部材は、前記扉に固定されて前記扉とともに前記本体に対して回動可能であるとともに、前記扉から少なくとも一部が突出した挿入部を有しており、
前記挿入部は、前記扉によって前記開口を閉じた状態では、前記本体側上部連結部と前記天板との間に挿入され、
前記天板の裏面には、前記開口の上縁に沿って延びる凸部が形成されており、
前記第２閉塞部材は、前記凸部が挿入される凹部を有するとともに、前記本体側上部連結部に固定されている、ことを特徴とする、遊技機。
【請求項２】
前記本体側上部連結部は前方に向けて延出されたアーム部を有し、
前記アーム部は、当該アーム部により一部が囲まれ、上下に貫通している貫通空間を規定し、
少なくとも前記開口の閉鎖時において、前記本体側上部連結部の下方に位置して前記貫通空間を閉鎖するカバー部材をさらに備えている、請求項１に記載の遊技機。
【発明の詳細な説明】
【技術分野】
【０００１】
本発明は、パチスロ機等の遊技機に関する。
【背景技術】
【０００２】
従来より、パチスロ機と呼ばれる遊技機が知られている。パチスロ機は、遊技者のスタートレバーの操作に基づいて乱数値抽籤を行い、この抽籤の結果とストップボタンが操作されたことを検出したタイミングとに基づいてリールの回転を停止させるものである。このパチスロ機では、停止した図柄に応じて配当を得ることができ、ボーナス図柄の停止により開始されるボーナスゲームによってメダルを大量に獲得する機会を得ることができる。また、パチスロ機としては、当籤した小役の入賞をアシストするためにストップボタンの押し順をナビするとともに、再遊技の当籤確率を高めることでコインを増加させるＡＲＴ機能を備えた機種もある。
【０００３】
このようなパチスロ機では、前面側が開口したキャビネットに対して、開口を開閉する前面ドアが設けられている。キャビネットには、遊技メダルを収容するホッパーやリールなどが収容される。前面ドアには、リールを視認させるための表示窓、液晶表示装置や８セグなどの表示器、各種報知ランプなどの他、コイン投入口、ベットボタン、スタートレバー、およびストップボタンなどが設けられている。このような前面ドアは、一般的に左縁側においてヒンジを介してキャビネットに支持され、右縁側においてキャビネットにロックされるように構成されている。
【０００４】
キャビネットに対してヒンジを利用して前面ドアを支持する構造では、前面ドアの上部から下方に向けた荷重を作用させた場合、前面ドアが下方に位置ずれしてキャビネットと前面ドアとの間に隙間が形成されることがある。このような隙間は、ゴト行為と呼ばれる不正行為に利用されることがある。
【０００５】
キャビネットと前面ドアとの間に隙間が形成されるのを防止するための手段としては、前面ドアの係止部がキャビネットの係止受け部に対して係止されることでキャビネットに対して前面ドアが軸着され、前面ドアの軸方向への変位を制限するものがある（例えば、特許文献１参照）。
【０００６】
特許文献１に記載の構造は、キャビネットと前面ドアとの間の機密性を向上させることで、閉鎖時における前面ドアの変位を制限するものである。すなわち、上部側では、キャビネットにおいて下方に突出した突起を、前面ドアの突起受け部に軸着する一方で、下方側では、キャビネットにおいて上方に突出した突起を、前面ドアの突起受け部に軸着することで、閉鎖時における前面ドアの軸方向への変位を制限している。
【０００７】
しかしながら、特許文献１に記載の構造は、軸方向に力を加えることにより生じるキャビネットと前面ドアとの「ずれ」を利用して扉のロックを解除し、メイン基板やサブ基板を交換するという不正な操作が行われるのを防止するためには有効である。その一方で、扉のロックを解除しない状態での不正行為を十分に抑制することはできない場合がある。すなわち、メイン基板からサブ基板に信号を送信する配線は、前面ドアの開閉を阻害しないように、またホッパーへのコインの補充やホッパーの出し入れの邪魔とならないように、前面ドアをキャビネットに固定するヒンジ側に配置される。そのため、前面ドアのロック機構の解除を抑制できる位置での隙間の形成を予防できたとしても、たとえば前面ドアとキャビネットの上面において、ヒンジが設けられた側縁側（図１において一点鎖線で囲んだ部分参照）に隙間が形成されると、ボーナスやＡＲＴの当籤情報をサブ基板に送信するための不正部材が仕込まれてしまうことがある。
【０００８】
また、引用文献１に記載の構造では、キャビネット、前面ドア、およびヒンジ等の各部材の製造公差や取付公差に起因して、製造される遊技機間で生じる隙間の程度が異なるため、全ての遊技機において不正行為を有効に防止できるとは限らない。そのため、各部材の製造公差を小さくするために品質管理を過度に行えば、それだけ製造コストが高くなってしまうという問題が生じる。
【０００９】
さらに、遊技店ごとに遊技機が設置される島設備が異なるため、突起の受け部などの形状が島設備に合致しない場合には、それらの部材に対する特殊な加工が必要となるため、パチスロ機の設置が煩雑なものとなる場合もある。
【先行技術文献】
【特許文献】
【００１０】
【特許文献１】特開２００４−１５４３１９号公報
【発明の概要】
【発明が解決しようとする課題】
【００１１】
本発明は、簡易かつ安価に達成な構成により、効果的に不正行為を抑制できる遊技機を提供することを目的とする。
【課題を解決するための手段】
【００１２】
本発明に係る遊技機は、
前面側に開放した開口を有する本体（例えば、後述するキャビネット２）と、
前記開口を開閉する扉（例えば、後述する前面ドア３）と、
前記本体に対して前記扉を回動可能に支持する連結ユニット（例えば、後述するヒンジユニット４，５）と、
を備えた遊技機（例えば、後述するパチスロ機１）であって、
前記連結ユニットは、本体側上部連結部を有するとともに前記本体に固定された本体側連結ユニット（例えば、後述するキャビネット側ヒンジ４）と、前記本体側上部連結部に連結される扉側上部連結部を有するとともに前記扉に固定された扉側連結ユニット（例えば、後述する前面ドア側ヒンジ５）と、を含み、
前記扉によって前記開口を閉じた状態において、前記本体側上部連結部（例えば、後述する上部ヒンジ４１）と前記本体の天板との間に配置された第１閉塞部材（例えば、後述するブロッカ７）および第２閉塞部材（例えば、後述するスペーサ６）をさらに備え、
前記第１閉塞部材（例えば、後述するブロッカ７）は、前記扉に固定されて前記扉とともに前記本体に対して回動可能であるとともに、前記扉から少なくとも一部が突出した挿入部（例えば、後述するプレート７０）を有しており、
前記挿入部は、前記扉によって前記開口を閉じた状態では、前記本体側上部連結部と前記天板との間に挿入され、
前記天板の裏面には、前記開口の上縁に沿って延びる凸部（例えば、後述する補強板２５の凸部２６）が形成されており、
前記第２閉塞部材（例えば、後述するスペーサ６）は、前記凸部が挿入される凹部（例えば、後述するスペーサ６の溝状空間６８）を有するとともに、前記本体側上部連結部に固定されている。
【００１３】
このような遊技機によれば、本体側上部連結部と本体の天板との間に閉鎖部材が存在することにより、扉が下方に押し下げられたとしても、本体側上部連結部と本体の天板の間に隙間が形成されるのを抑制することができる。そのため、扉を下方に押し下げたとしても、サブ基板にボーナスやＡＲＴの当籤情報を送信するための不正部材が仕込まれることを制限することができる。
【００１４】
本発明の遊技機ではまた、本体側上部連結部と本体の天板との間に閉塞部材が配置されているだけであるため、遊技機間で生じる隙間の差（バラツキ）を、キャビネット、扉、および連結ユニット等の各部材の製造公差や取付公差にさほど依存することなく小さくすることができる。そのため、各部材の製造公差を小さくするために品質管理を過度に行うことなく、製造コストを大きく上昇させることもなく、効果的に不正行為を防止することが可能となる。また、単に閉鎖部材を配置するだけであれば、遊技店ごとに遊技機が設置される島設備が異なっていたとしても、島設備に合致させるための部材の加工を必要としないため、遊技機の設置が煩雑化することもない。
【００１５】
本発明の遊技機ではまた、扉によって開口を閉じた状態では、扉に固定された閉塞部材は、挿入部が扉と本体との間に跨って存在することとなる。そのため、閉塞部材によって、扉と本体との間に前後方向に開く隙間が形成されるのを抑制することができる。また、挿入部が本体側上部連結部と天板との間に挿入されることで、これらの間に隙間が形成されるのを抑制することができる。
【００１６】
本発明に係る遊技機はまた、本体側上部連結部は前方に向けて延出されたアーム部を有し、前記アーム部は、当該アーム部により一部が囲まれ、上下に貫通している貫通空間を規定し、少なくとも前記開口の閉鎖時において、前記本体側上部連結部の下方に位置して前記貫通空間を閉鎖するカバー部材（例えば、後述するヒンジカバー８）をさらに備えていてもよい。
【００１７】
このような遊技機によれば、本体側上部連結部の形状が、Ｕ状、Ｃ状あるいはＬ状などの形態であった場合に、本体側上部連結部によって貫通空間が規定されるが、この貫通空間をカバー部材によって塞ぐことができる。そのため、仮に本体と扉の隙間から外部から不正部材が挿入されたとしても、本体側上部連結部の貫通空間では、カバー部材によって不正部材のそれ以上の侵入を阻害することができる。
【発明の効果】
【００１８】
本発明によれば、簡易かつ安価に達成な構成により、効果的に不正行為を抑制できる遊技機を提供することができる。
【図面の簡単な説明】
【００１９】
【図１】本発明の第１の実施の形態に係るパチスロ機を示す全体斜視図である。
【図２】図１に示したパチスロ機の前面扉を開いた状態を示す斜視図である。
【図３】キャビネット側ヒンジの上部ヒンジの周りを示す斜視図である。
【図４】キャビネット側ヒンジの下部ヒンジの周りを示す斜視図である。
【図５】上部ヒンジの全体斜視図である、
【図６】図２における一点鎖線で囲んだ部分を拡大して示す斜視図である。
【図７】図６の状態から前面ドアを取り外した状態を示す斜視図である。
【図８】図７に示した部分を斜め後方から見た斜視図である。
【図９】図７に示した部分を側方から見た斜視図である。
【図１０】スペーサの全体斜視図である。
【図１１】上部ヒンジにスペーサを固定した状態を示す斜視図である。
【図１２】前面ドア側ヒンジの上部ヒンジを示す斜視図である。
【図１３】前面ドア側ヒンジの下部ヒンジを示す斜視図である。
【図１４】前面ドアを閉じた状態での前面ドア側ヒンジの部ヒンジと、キャビネット側ヒンジの部ヒンジとの係合状態を示す斜視図である。
【図１５】前面ドアを閉じた状態での図１の一点鎖線で囲んだ部分を、一部を破断して示す平面図である。
【図１６】前面ドアを閉じた状態でのブロッカの状態を示す斜視図である。
【図１７】ブロッカの全体斜視図である。
【図１８】本発明の第２の実施の形態を説明するためのキャビネットの内部を斜め後方から見た斜視図である。
【図１９】図１８の状態を側方から見た図である。
【図２０】ヒンジカバーの全体斜視図である。
【図２１】ヒンジカバーを裏面側から見た全体斜視図である。
【発明を実施するための形態】
【００２０】
本発明に係る遊技機の実施の形態について、図面を参照しながら以下において説明する。
【００２１】
まず、本発明の第１の実施の形態について、図１ないし図１７を参照しつつ説明する。
【００２２】
図１および図２に示したように、パチスロ機１は、メダルを用いて遊技するのに適合させた遊技機である。ただし、パチスロ機１は、メダルに代えて、遊技媒体として、コイン、遊技球又はトークン等の他、遊技者に付与された、もしくは付与される遊技価値の情報を記憶したカード等を利用するように構成することも可能である。このパチスロ機１は、キャビネット２、前面ドア３、およびヒンジユニット４，５を備えている。
【００２３】
図２に示したように、キャビネット２は、前面に開口２０を有する箱状の形態を有している。キャビネット２の内部には、ホッパー２１および３つのリール２２Ｌ，２２Ｃ，２２Ｒが収容されている。
【００２４】
ホッパー２１は、当籤役の配当に応じて払い出すべきメダルをストックし、また後述するメダル投入口３４１（図１参照）から投入にされたメダルを収容するためのものである。
【００２５】
３つのリール２２Ｌ，２２Ｃ，２２Ｒは、回転自在に横一列に並んで配置されている。各リール２２Ｌ，２２Ｃ，２２Ｒには、図面上は省略されているが、複数種類の図柄が略等間隔で列状に描かれており、これらの図柄は、後述する前面ドア３の表示窓３１Ｌ，３１Ｃ，３１Ｒを介して、一部（たとえば３種類の図柄）が外部から視認可能とされている。各リール２２Ｌ，２２Ｃ，２２Ｒは、図外のステッピングモータによって、個別に定速回転（たとえば８０回転／分）が可能とされている。
【００２６】
図１および図２に示したように、前面ドア３は、開口２０を開閉するものであり、後述するヒンジユニット４，５によってキャビネット２に対して回動可能に支持されている。
【００２７】
図１に示したように、前面ドア３には、上半分の略中央位置において、液晶表示装置３０が設けられている。この液晶表示装置３０は、小役、ボーナスあるいはＡＲＴの当籤の示唆、予告あるいは報知するための演出を、１ゲームないし数ゲームに亘って表示し、ボーナスやＡＲＴ時において、それを消化するときの演出、あるいはトータル払い出し枚数（残りの払い出し枚数）やＡＲＴ消化ゲーム数（残りのＡＲＴゲーム数）を表示するためのものである。液晶表示装置３０は、必要に応じて、ホッパーエンプティエラーやセレクタエラー等の各種のエラー表示を行うために利用される。
【００２８】
液晶表示装置３０には、長矩形状の３つの表示窓３１Ｌ，３１Ｃ，３１Ｒが横並びで設けられている。これらの表示窓３１Ｌ，３１Ｃ，３１Ｒは、リール２２Ｌ，２２Ｃ，２２Ｒに対応した位置に設けられており、外部からリール２２Ｌ，２２Ｃ，２２Ｒの一部が視認可能とされている。液晶表示装置３０の周囲には、各種の表示器３２１，３２２，３２３，３２４が設けられている。より具体的には、液晶表示装置３０の上下にはリール上部表示器３２１およびリール下部表示器３２２、その左右にはリール演出表示器３２３およびサイド演出表示器３２４が設けられている。リール上部表示器３２１、リール演出表示器３２３およびサイド演出表示器３２４は、たとえば発光ダイオード（ＬＥＤ）の発光色や発光パターンで表示を行うように構成される。ただし、少なくとも緑色、黄色、青色、赤色に発光可能なものであれば、ＬＥＤに代えて、有機エレクトロルミネッセンス（有機ＥＬ）等の既存の他の発光素子を用いることができる。一方、リール下部表示装置３２２は、パチスロ機１に関する情報（たとえば遊戯説明、リーチ目、チャンス目、ボーナス履歴、ＡＲＴ履歴、あるいは出玉推移）を表示するためのものであり、たとえば液晶表示装置やドットマトリクス表示装置により構成されている。
【００２９】
前面ドア３には、上下方向の中央位置（リール下部表示器３２２の下方）に、略水平または若干傾斜した平面部３４および略垂直の前面部３５を有する台座部３３が形成されている。
【００３０】
平面部３４には、右側にメダル投入口３４１が、左側にベットボタン３４２および精算ボタン３４３が、略中央に情報表示器３４４がそれぞれ設けられている。メダル投入口３４１は、遊戯に必要なメダルを遊技者が投入するためのものである。ベットボタン３４２は、メダル投入に代えて、遊技に必要な数のメダルを、遊技者の押下操作によってクレジットから賭けるためのものである。精算ボタン３４３は、押しボタン操作で、遊技者がゲームで獲得したメダルをクレジットするか、払い出すかを切り換え、またクレジットされたメダルを払い出すためのものである。情報表示器３４４は、主にクレジットメダル枚数や払い出しメダル枚数に関する情報を表示するためのものであり、たとえば複数の８セグＬＥＤ表示器あるいは８セグＬＥＤ表示器アレイにより構成されている。
【００３１】
前面部３５には、左寄りにスタートレバー３５１が、中央部に３つのストップボタン３５２Ｌ，３５２Ｃ，３５２Ｒがそれぞれ設けられている。
【００３２】
スタートレバー３５２は、遊技者の傾動操作に応じてリール２２Ｌ，２２Ｃ，２２Ｒ（図１参照）を回転させ、表示窓３１Ｌ，３１Ｃ，３１Ｒ内での図柄の変動表示を開始するためのものである。
【００３３】
３つのストップボタン３５２Ｌ，３５２Ｃ，３５２Ｒは、遊技者の押下操作により３個のリール２２Ｌ，２２Ｃ，２２Ｒの回転をそれぞれ停止させるためのものである。
【００３４】
前面ドア３には、正面下部の左右に効果音や音声等の音による演出を行うスピーカ３６１，３６２が設けられ、このスピーカ３６１，３６２の間にメダルが払出されるメダル払出口３７が設けられている。前面ドア３の最下部には、払出されたメダルを貯留するメダル受け部３８が設けられている。また、前面ドア３の正面の下部のうち、ストップボタン３５２Ｌ，３５２Ｃ，３５２Ｒとメダル受け部３８とに上下を挟まれた面には、機種のモチーフに対応したデザインがあしらわれた腰部パネル３９が取り付けられている。この腰部パネル３９は、背後に設けられた要部パネル照明器（図示略）に照射される。
【００３５】
図２に示したように、ヒンジユニット４，５は、キャビネット２に対して前面ドア３を回動可能に支持するためのものであり、キャビネット２の左側板２３２の内面に設けられたキャビネット側ヒンジ４と、前面ドア３における正面から見て左側壁の内面に設けられた前面ドア側ヒンジ５と、を含んでいる。これらのヒンジ４，５は、図面上は明確に表れていないが、上下方向に延びており、上部および下部において互いに連結されている。
【００３６】
図３および図４に示したように、キャビネット側ヒンジ４は、上下方向に延びるフレーム４０の上端部（図３）および下端部（図４）のそれぞれに上部ヒンジ４１および下部ヒンジ４２が取り付けられたものである。
【００３７】
図３および図５に示したように、上部ヒンジ４１は、後述する前面ドア側ヒンジ５の上部ヒンジ５１（図１２参照）と連結される部分である。この上部ヒンジ４１は、基部４３のから下方に向けて取付片４４が延出する一方で、基部４３から前方に向けてアーム部４５が延出したものであり、平面視においてＵ字状あるいはＣ字状の形態を有している。取付片４４は、上部ヒンジ４１をフレーム４０の上端部に取り付けるための部分である。アーム部４５は、基部４３との間に上下方向に貫通する貫通空間４６を規定しており、後述する上部ヒンジ５１を覆っている（図７参照）。このアーム部４５は、その先端部に下方に突出した突起部４５１が形成されている。この突起部４５１は、後述する上部ヒンジ５１の凹部５３３（図１２参照）に保持されるものである。
【００３８】
図６ないし図９に示したように、上部ヒンジ４１とキャビネット２の天板２３１との間には、スペーサ６が配置されている。このスペーサ６は、キャビネット２の開口２０から突出する突出部６０と、上部ヒンジ４１と天板２３１との間に挿入される挿入部６１と、を有している。図１１に示したように、スペーサ６は、挿入部６１が基部４３の上面に、突出部６０がアーム部４５の基端部の上面に位置した状態で、フック６２を上部ヒンジ４１における基部４３の縁に係止することで、上部ヒンジ４１を覆うように上部ヒンジ４１に固定されている。このようなスペーサ６は、ポリカーボネートなどの樹脂により全体を一体成型することができる。
【００３９】
図１０および図１１に示したように、突出部６０は、平面視において、左右方向に延びる第１ブロック部６３と、前後方向に延びる第２ブロック６４とを有しており、全体としてＬ字状の形態を有している。第１ブロック６３および第２ブロック６４は、天板２３１における前端部２７よりも、上面が高位置に設定されている。そのため、第１ブロック６３によって天板２３１の下方への不正部材の侵入を防止し、第２ブロック６４によって上部ヒンジ４１の右側方への不正部材の侵入を防止している（図６参照）。
【００４０】
挿入部６１は、平面視において、上部ヒンジ４１の基部４３に対応した形状を有しており、ガイドブロック６５およびガイド壁６６を有している。ガイドブロック６５は、突出部６６との間、およびガイド壁６６との間に、左右方向に延びる溝状空間６７，６８を形成するものである。
【００４１】
ここで、図８および図９に示したように、天板２３１の裏面２４１には、補強板２５が取り付けられている。この補強板２５は、断面ハット状に曲げられており、左右方向に延びる凸部２６を有するものとされている。凸部２６は、スペーサ６の溝状空間６８に収容される。また、天板２３１の前端部２７は折り曲げられており、垂直部２８および水平部２９を有するものとされている。垂直部２８および水平部２９は、溝状空間６７に収容される。そのため、天板２３１の下方に不正部材を挿入しようとした場合には、垂直部２８によって不正部材の侵入が阻害され、またガイドブロック６５の前面６５１および凸部２６の前面２６１によっても不正部材の侵入が阻害される。
【００４２】
図２に示したように、下部ヒンジ４２は、上部ヒンジ４１とともに前面ドア３を支持する部分である。この下部ヒンジ４２は、図４に示したように基部４７から上方に向けて取付片４８が延出する一方で、基部４７から前方に向けて保持片４９が延出したものである。基部４７は、キャビネット２の底板に対して固定されている。取付片４８は、フレーム４０の下端部に取り付けられている。すなわち、下部ヒンジ４２は、基部４７においてキャビネット２に固定され、取付片４８においてフレーム４０に固定されている。保持片４８は、基部４７から連続して基部４７よりも段下げされた水平面として形成されている。保持片４９と基部４７との間には、切欠４２１が形成され、保持片４８の隅には上方に突出した突起部４２２が設けられている。切欠４２１は、前面ドア側ヒンジ５の下部ヒンジ５２に舌片５９が挿入される部分である（図１４参照）。突起部４２２は、後述する前面ドア側ヒンジ５の下端部に形成された貫通孔５０１に挿入されるものである（図１４参照）。
【００４３】
一方、前面ドア側ヒンジ５は、図１２に示したように上下方向に延びるフレーム５０の上端部に上部ヒンジ５１が設けられ、図１４に示したように下端部に下部ヒンジ５２が設けられたものである。
【００４４】
図１３および図１４に示したように、フレーム５０の下部には、貫通孔５０１が設けられている。この貫通孔５０１は、キャビネット側ヒンジ４における下部ヒンジ４２の突起部４２２が挿入される部分である。すなわち、前面ドア３は、貫通孔５０１に突起部４２２が挿入されることで、図１および図２に示した下部側においてキャビネット２に対して回転可能に支持される。
【００４５】
図１２に示したように、上部ヒンジ５１は、固定部材５３および可動部材５４を含んでいる。これらの部材５３，５４は、支持プレート５５上に配置されている。
【００４６】
固定部材５３は、２つの凸部５３１，５３２と、これらの凸部５３１，５３２の間に形成された凹部５３３と、を有しており、全体として平面視Ｃ字状あるいはＵ字状に形成されている。凹部５３３は、キャビネット側ヒンジ４における上部ヒンジ４１の突起部４７（図５参照）を保持する部分である。この固定部材５３はさらに、下方に突出したフック５３４を有している。
【００４７】
可動部材５４は、一端部に爪部５４１が形成され、中央よりも他端部よりの部位にフック５４２が形成されている。この可動部材５４は、爪部５４１に隣接した位置において、凸部５３２に回転可能に固定されている。すなわち、可動部材５４は、爪部５４１およびフック５４２が凸部５３２を中心に回転する。可動部材５４はさらに、フック５３４，５４２に係止されたコイルバネ５６を介して固定部材５３と連結されている。そのため、可動部材５４は、外力が作用しない状態において、他端部側がコイルバネ５６に引っ張られ、爪部５４１が凸部５３１の内面に押し付けられている。このとき、爪部５４１は、凹部５３３を閉鎖しているため、凹部５３３に保持された突起部４５１（図５参照）は凹部５３３と爪部５４１に拘束されることとなる。これにより、突起部４５１（図５参照）が凹部５３３に保持されるとともに、図１および図２に示した前面ドア３が、上部側においてキャビネット２に対して回転可能に支持される。
【００４８】
なお、本実施形態においては、コイルバネ５６を用いたが、本発明はこれに限らず、爪部５４１を凸部５３１の内面に適度な力で押し付けるようにできる限りは、弾性を有するワイヤ片、薄板バネ、あるいは弾性を有するゴムを用いてもよい。
【００４９】
図１５に示したように、前面ドア３には、上部ヒンジ５１の直上にブロッカ７が配置されている。このブロッカ７は、図１５ないし図１７に示したようにプレート７０および取付基部７１を有しており、図６に示したように取付基部７１において前面ドア３の天板の裏面２４に固定されている。図１７に示したように、プレート７０は、扇状の形態を有しており、取付基部７１の側方に位置する部分が傾斜部７２とされている。この傾斜部７２は、図１５および図１６に示したように、前面ドア３を閉じた状態では、上部ヒンジ４１の基部４３の前縁（貫通空間４６の開口４６１の後縁）に沿った部分に位置する。このようなブロッカ７は、ポリカーボネートなどの樹脂を用いて一体成型することができる。
【００５０】
ブロッカ７は、前面ドア３に固定されていることから、前面ドア３とともに回動する。ブロッカ７（プレート７０）の端部（前面ドア３から突出した部分）は、前面ドア３を閉じた状態では、スペーサ６の左側に隣接した位置において、天板２３１と上部ヒンジ４１の間に位置する。そのため、ブロッカ７によって天板２３１と上部ヒンジ４１との間に隙間が形成されるのを制限することができるため、天板２３１の下方に不正部材を挿入しようとしても、プレート７０の先端によって、不正部材の侵入が阻害される。また、前面ドア３を閉じた状態では、プレート７０が前面ドア３とキャビネット２の間に跨って存在するために、前面ドア３とキャビネット２との間に前後方向に開いた隙間が形成されるのを抑制することができる。さらに、傾斜部７２が貫通空間４６の開口４６１の後縁に沿って形成されているために貫通空間４６への不正部材の侵入を阻害することができる。
【００５１】
図１３および図１４に示したように、下部ヒンジ５２は、基部５７、取付片５８、および舌片５９を含んでいる。基部５７は、前面ドア３に固定されている（図２参照）。取付片５８は、フレーム５０に固定されている。すなわち、フレーム５０は、下部ヒンジ５２を介して前面ドア３に固定されている。舌片５９は、基部５７から後方に向けて延出している。この舌片５７は、前面ドア３を閉めたときに、キャビネット側ヒンジ４の下部ヒンジ４２における切欠４２１に挿入される部分である。切欠４２１に舌片５９が位置することで、前面ドア３の上下方向への変位が制限される。
【００５２】
パチスロ機１によれば、前面ドア３が下方に押し下げられたとしても、本体側ヒンジユニット４の上部ヒンジ４１とキャビネット２の天板２３１との間に隙間が形成されるのを、スペーサ６およびブロッカ７によって抑制することができる。そのため、前面ドア３が下方に押し下げられたとしても、サブ基板にボーナスやＡＲＴの当籤情報を送信するための不正部材が仕込まれることを制限することができる。
【００５３】
パチスロ機１ではまた、本体側ヒンジユニット４の上部ヒンジ４１とキャビネット２の天板２３１との間にスペーサ６およびブロッカ７が配置されているだけであるため、遊技機間で生じる隙間の差を、キャビネット２、前面ドア３、およびヒンジユニット４，５等の各部材の製造公差や取付公差にさほど依存することなく小さくすることができる。そのため、各部材の製造公差を小さくするために品質管理を過度に行うことなく、製造コストを大きく上昇させることもなく、効果的に不正行為を防止することが可能となる。特に、スペーサ６およびブロッカ７は、樹脂成型により簡易かつ安価に製造できるため、不正行為の対策を講じるに当たって、コスト上昇を抑制することができる。また、単にスペーサ６やブロッカ７を配置するだけであれば、遊技店ごとにパチスロ機１が設置される島設備が異なっていたとしても、島設備に合致させるための部材の加工を必要としないため、パチスロ機１の設置が煩雑化することもない。さらに、スペーサ６は、既存のパチスロ機１に対しても取り付けることが可能であるため、パチスロ機１の設計変更を必要とせず、また遊技店に設置済みのパチスロ機１に取り付けることも可能である。
【００５４】
このように、本発明に係るパチスロ機１よれば、簡易かつ安価に達成な構成により、効果的に不正行為を抑制することができる。
【００５５】
次に、本発明の第２の実施の形態について、図１８ないし図２１を参照しつつ説明する。
【００５６】
図１８および図１９に示したように、本実施の形態に係るパチスロ機１′は、閉塞部材としてのブロッカ７（図１５ないし図１７参照）に代えて、ヒンジカバー８を採用したものである。また、ヒンジカバー８を採用するに当たって、新たにストッパ部材９を配置している。なお、以下の説明において参照する図面では、第１の実施の形態と同一の要素については同一の符号を付してあり、その説明は省略するものとする。
【００５７】
ヒンジカバー８は、上部ヒンジ４１を裏面側から覆うものであり、図２０および図２１に良く表れているように取付部８０およびカバー部８１を有している。このヒンジカバー８は、全体がポリカーボネート（ＰＣ）等の樹脂により一体的に形成されている。図１８および図１９に示したように、取付部８０は、フレーム５０における上部ヒンジ５１のやや下方に固定されるものである。フレーム５０に取付部８０を固定した場合には、フレーム５０からカバー部８１が突出した状態となる。カバー部８１は、上部ヒンジ４１の外周縁の形状に対応して、平面視において全体として扇状に形成されている。このカバー部８１の外周縁には、上方に起立した起立壁８２が形成されている。前面ドア３によってキャビネット２の開口を閉じた場合には、カバー部８１は前面ドア３とともに回転して上部ヒンジ４１によって規定される貫通空間４６（図３参照）の下方位置に存在し、起立壁８２は上部ヒンジ４１における基部４３（図３参照）の周囲を囲むとともにキャビネット２の側板２３２に当接する。
【００５８】
ストッパ部材９は、前面ドア３を閉めたときにヒンジカバー８の取付部８０に干渉することで、ヒンジカバー８の位置を規制するとともにヒンジカバー８に作用する負荷を軽減するものである。このストッパ部材９は、左側の縁部（固定状態では前面側の縁部）にヒンジカバー８が当接する当接面９０が形成されているものの、全体として板状に形成されている。当接面９０は、例えばストッパ部材９の左側の縁部を屈曲した形状とし、あるいは肉厚に形成することにより、ヒンジカバー８の取付部８０が干渉しやすい形状とされている。ストッパ部材９は、キャビネット側ヒンジ４のフレーム４０に固定されており、当接面９０が前面側に面している。このようなストッパ部材９は、ポリカーボネート（ＰＣ）等の樹脂により一体的に形成されている。
【００５９】
ヒンジカバー８を採用したパチスロ機１′では、前面ドア３を閉じるときに前面ドア３とともにヒンジカバー８が回転し、前面ドア３が閉じられるときにヒンジカバー８の取付部８０がストッパ部材９の左側面（当接面）９０に干渉するとともに、起立壁８２がキャビネット２の側板２３２に干渉する。すなわち、取付部８０がストッパ部材９に干渉することで、カバー部８１がキャビネット２の側板２３２に干渉するときの衝撃を小さくすることができる。一方、キャビネット２に干渉したカバー部８１は、上部ヒンジ４１の下方に位置し、上部ヒンジ４１を裏面側から覆う。すなわち、上部ヒンジ４１によって規定される貫通空間４６は、ヒンジカバー８によって閉鎖される。そのため、キャビネット２と前面ドア３の隙間から不正部材が挿入されたとしても、貫通空間４６を介して内部に侵入する不正部材は、カバー部８１によってそれ以上の侵入が阻害される。また、カバー部８１には起立壁８２が設けられているため、起立壁８２が上部ヒンジ４１の基部４３の周囲を囲む。これにより、カバー部８１の周囲から不正部材が侵入しようとするのを起立壁８２によって制限することができる。
【００６０】
本発明は、上述した実施の形態には限定されず、種々に設計変更可能である。たとえば、閉塞部材としては、ストッパおよびブロッカのうちの少なくとも一方、あるいはストッパおよびヒンジカバーのうちの少なくとも一方を採用すればよく、必ずしも両方を採用する必要はない。また、ストッパ、ブロッカおよびヒンジカバーの形状は、本発明の目的を達成できる範囲において変更可能であり、それらの取付部位も同様に変更可能である。
【符号の説明】
【００６１】
１，１′    パチスロ機（遊技機）
２  キャビネット（本体）
２０  （キャビネットの前面の）開口
２３１  （キャビネットの）天板
２４１  （天板の）裏面
２６  凸部
３  前面ドア（扉）
４  キャビネット側ヒンジ（本体側連結ユニット）
４１  上部ヒンジ（本体側上部連結部）
４６  （上部ヒンジの）貫通空間
５  前面ドア側ヒンジ（扉側連結ユニット）
６  スペーサ（閉塞部材）
６８  溝状空間（凹部）
７  ブロッカ（閉塞部材）
７０  プレート（突出部）
８  ヒンジカバー（カバー部材）
【図１】
0005607798.tif 000002
【図２】
0005607798.tif 000003
【図３】
0005607798.tif 000004
【図４】
0005607798.tif 000005
【図５】
0005607798.tif 000006
【図６】
0005607798.tif 000007
【図７】
0005607798.tif 000008
【図８】
0005607798.tif 000009
【図９】
0005607798.tif 000010
【図１０】
0005607798.tif 000011
【図１１】
0005607798.tif 000012
【図１２】
0005607798.tif 000013
【図１３】
0005607798.tif 000014
【図１４】
0005607798.tif 000015
【図１５】
0005607798.tif 000016
【図１６】
0005607798.tif 000017
【図１７】
0005607798.tif 000018
【図１８】
0005607798.tif 000019
【図１９】
0005607798.tif 000020
【図２０】
0005607798.tif 000021
【図２１】
0005607798.tif 000022